(57)【要約】【課題】複数のディスプレイにわたって１フレームの画像を表示させる場合に必要とされるメモリサイズを、低減することが可能な表示制御装置および表示制御方法を提供する。【解決手段】入力制御部１０は、連続する走査信号を交互に第１バッファ３１と第２バッファ３２にバッファする。そして出力制御部４０では、走査順序にしたがって、第１バッファ３１もしくは第２バッファ３２から読み出した走査信号を、時間的に真ん中の位置で分割し、水平同期信号を第１LCDモジュール５１および第２LCDモジュール５２における表示に合わせて周波数調整した第２同期信号に同期させて、前半の走査信号を第１LCDモジュール５１に出力し、また後半の走査信号を第２同期信号に同期させて、第２LCDモジュール５２に出力ようにしたものである。【選択図】      図１
2011069914.tif 000002
【特許請求の範囲】
【請求項１】
画像信号を、１走査線に相当する信号毎に、N（Nは自然数）分割する信号分割手段と、
前記画像信号の同期信号を表示手段に合わせて周波数調整した同期信号を生成する同期信号生成手段と、
前記信号分割手段によって分割されたN個の画像信号を、それぞれ前記同期信号生成手段が生成した同期信号に同期させて出力する出力制御手段とを具備したことを特徴とする表示制御装置。
【請求項２】
前記信号分割手段は、
１走査線に相当する信号をバッファ可能な第１バッファ手段と、
１走査線に相当する信号をバッファ可能な第２バッファ手段と、
画像信号を１走査線に相当する信号毎に、前記第１バッファ手段と前記第２バッファ手段に交互に記録する記録制御手段と、
前記第１バッファ手段および前記第２バッファ手段にバッファされた画像信号を、走査順序に従って交互に読み出し、N分割する分割手段とを備えることを特徴とする請求項１に記載の表示制御装置。
【請求項３】
さらに、画像信号に基づく画像を回転させた画像を走査した画像信号を生成する画像回転手段を備え、
前記信号分割手段は、前記画像回転手段が生成した画像信号を、１走査線に相当する信号毎に、N分割することを特徴とする請求項１に記載の表示制御装置。
【請求項４】
画像信号を、１走査線に相当する信号毎に、N（Nは自然数）分割する信号分割工程と、
前記画像信号の同期信号を表示手段に合わせて周波数調整した同期信号を生成する同期信号生成工程と、
前記信号分割工程で分割されたN個の画像信号を、それぞれ前記同期信号生成工程で生成した同期信号に同期させて出力する出力制御工程とを具備したことを特徴とする表示制御方法。
【請求項５】
前記信号分割工程は、
画像信号を１走査線に相当する画像信号毎に、１走査線に相当する画像信号をバッファ可能な第１バッファおよび第２バッファに交互に記録する記録制御工程と、
前記第１バッファおよび前記第２バッファにバッファされた画像信号を、走査順序に従って交互に読み出し、N分割する分割工程とを備えることを特徴とする請求項４に記載の表示制御方法。
【請求項６】
さらに、画像信号に基づく画像を回転させた画像を走査した画像信号を生成する画像回転工程を備え、
前記信号分割工程は、前記画像回転工程で生成した画像信号を、１走査線に相当する信号毎に、N分割することを特徴とする請求項４に記載の表示制御方法。
【発明の詳細な説明】
【技術分野】
【０００１】
この発明は、複数のモニタに画像を表示させる表示制御装置に関する。
【背景技術】
【０００２】
複数のディスプレイに対して、それぞれに画像を表示させるディスプレイ駆動方法がある（例えば、特許文献１参照）。上記方法では、同一フレームを表示するか、異なるフレームを表示するかを提案するものである。この手法では、１フレームの画像を、複数のディスプレイに表示させることはできない。
【０００３】
近時、複数のディスプレイを備える携帯ゲーム機がある。またイベント会場などにおいて、複数のディスプレイを用いることがある。これらでは、複数のディスプレイにわたって、１フレームの画像を表示することがあるが、このような制御を行うためには、大きなメモリを必要とするという問題があった。
【先行技術文献】
【特許文献】
【０００４】
【特許文献１】特開２００５−３５２４５０号公報
【発明の概要】
【発明が解決しようとする課題】
【０００５】
従来は、複数のディスプレイにわたって１つのフレームを表示させるためには、画像データを記憶するための大きなメモリが必要であるという問題があった。  
この発明は上記の問題を解決すべくなされたもので、複数のディスプレイにわたって１フレームの画像を表示させる場合に必要とされるメモリサイズを、低減することが可能な表示制御装置および表示制御方法を提供することを目的とする。
【課題を解決するための手段】
【０００６】
上記の目的を達成するために、この発明は、画像信号を、１走査線に相当する信号毎に、N（Nは自然数）分割する信号分割手段と、画像信号の同期信号を表示手段に合わせて周波数調整した同期信号を生成する同期信号生成手段と、信号分割手段によって分割されたN個の画像信号を、それぞれ同期信号生成手段が生成した同期信号に同期させて出力する出力制御手段とを具備して構成するようにした。
【発明の効果】
【０００７】
以上述べたように、この発明では、１走査線に相当する信号毎に、表示手段の数に合わせて分割するとともに、画像を表示する表示手段に合わせて同期信号の周波数を調整し、上記分割された画像信号を、生成した同期信号にそれぞれ同期させて出力するようにしている。
【０００８】
したがって、この発明によれば、走査線を分割した画像信号とその同期信号が得られるので、これらの信号を複数のディスプレイに出力することで、複数のディスプレイにわたって１フレームの画像を表示させることができ、かつ画像信号を走査線毎に分割するようにしているので、この処理で必要とされるメモリサイズも小さい表示制御装置および表示制御方法を提供できる。
【図面の簡単な説明】
【０００９】
【図１】この発明に係わる表示制御装置の一実施形態の構成を示す回路ブロック図。
【図２】図１に示した表示制御装置によって分割表示される映像の一例を示す図。
【図３】図１に示した表示制御装置のバッファ部にバッファされる走査信号を説明するための図。
【図４】図１に示した表示制御装置の表示制御動作を説明するための図。
【図５】図１に示した表示制御装置によって分割表示される映像の一例を示す図。
【図６】図１に示した表示制御装置によって水平分割して表示する処理を説明するための図。
【発明を実施するための形態】
【００１０】
以下、図面を参照して、この発明の一実施形態について説明する。  
図１は、この発明の一実施形態に係わる表示制御装置の構成を示すものである。この表示制御装置は、入力制御部１０と、クロック生成部２０と、バッファ部３０と、出力制御部４０と、第１LCDモジュール５１と、第２LCDモジュール５２とを備える。ここでは、説明を簡明にするために、表示部が２つの場合を例に挙げて説明する。
【００１１】
入力制御部１０は、例えばディジタルの入力画像信号（輝度信号および色差信号）が入力され、１走査線に相当する信号（以下、走査信号と略称する）毎に、出力先（バッファ部３０の第１バッファ３１と第２バッファ３２）を切り替える。すなわち、入力制御部１０は、走査信号を第１バッファ３１に記録した後、次の走査信号については第２バッファ３２に記録し、さらに次の走査信号については第１バッファ３１に記録するという記録制御を繰り返し実行する。
【００１２】
クロック生成部２０は、上記画像信号の同期信号（以下、第１同期信号と称する）に基づいて、第１LCDモジュール５１および第２LCDモジュール５２で映像を再生するための同期信号（以下、第２同期信号と称する）を生成する。
【００１３】
なおここで、第１同期信号および第２同期信号は、それぞれ水平同期信号と垂直同期信号を含むものであるが、クロック生成部２０は、水平同期信号に対して周波数調整を行うものであって、第１LCDモジュール５１および第２LCDモジュール５２で行う表示に合わせて、その周波数を調整する。
【００１４】
バッファ部３０は、第１バッファ３１と第２バッファ３２を備える。第１バッファ３１および第２バッファ３２は、それぞれ１つの走査信号をバッファするためのものであって、入力制御部１０から出力される走査信号が、１走査信号毎に交互に与えられ、これをバッファした後、出力制御部４０に出力する。
【００１５】
出力制御部４０は、第１バッファ３１と第２バッファ３２にそれぞれバッファされる走査信号を、１走査信号ずつ交互に読み出し、読み出した走査信号を時間的に真ん中の位置（走査線上の真ん中の位置）で２つに分割して、前半の信号（以下、前半信号と略称する）と後半の信号（以下、後半信号と略称する）を生成する。
【００１６】
そして、出力制御部４０は、クロック生成部２０で生成した第２同期信号に同期させて、前半信号を第１LCDモジュール５１に出力し、同時に、第２同期信号に同期させて後半信号を第２LCDモジュール５２に出力する。
【００１７】
第１LCDモジュール５１と第２LCDモジュール５２は、それぞれLCD(Liquid Crystal Display)を用いた表示装置であって、互いに同じサイズの解像度を有する。そして、第１LCDモジュール５１は、前半信号と第２同期信号に基づいて、映像を表示し、一方、第２LCDモジュール５２は、後半信号と第２同期信号に基づいて、映像を表示する。
【００１８】
ここで、１フレーム分の入力画像信号と第１同期信号によって、図２（ａ）に示すように映像が表示されるものであるとすると、上記表示制御装置によって、図２（ｂ）に示すように、第１LCDモジュール５１と第２LCDモジュール５２に半分ずつ表示される。
【００１９】
次に、上記構成の表示制御装置の動作について詳細に説明する。なお、以下の説明では、この発明の原理をわかりやすくするために、図３に示すように、１つの走査線を実際よりも太く示すことにし、各走査線の両端には、番号を含む映像とする。
【００２０】
まず、入力制御部１０は、図４（ａ）に示すように、ライン１の走査線に相当する走査信号が入力されると、これを第１バッファ３１に出力する。第１バッファ３１は、ライン１の走査信号をバッファする。
【００２１】
つづいて、入力制御部１０は、図４（ｂ）に示すように、ライン２の走査線に相当する走査信号が入力されると、これを第２バッファ３２に出力する。第２バッファ３２は、ライン２の走査信号をバッファする。またこれに並行して、出力制御部４０は、第１バッファ３１からライン１の走査信号を読み出し、その前半信号を第２同期信号に同期させて、第１LCDモジュール５１に出力するとともに、その後半信号を第２同期信号に同期させて、第２LCDモジュール５２に出力する。これにより、ライン１の前半信号に基づく映像が第１LCDモジュール５１に表示され、一方、ライン１の後半信号に基づく映像が第２LCDモジュール５２に表示される。
【００２２】
さらにつづいて、入力制御部１０は、図４（ｃ）に示すように、ライン３の走査線に相当する走査信号が入力されると、これを第１バッファ３１に出力する。第１バッファ３１は、ライン３の走査信号をバッファする。またこれに並行して、出力制御部４０は、第２バッファ３２からライン２の走査信号を読み出し、その前半信号を第２同期信号に同期させて、第１LCDモジュール５１に出力するとともに、その後半信号を第２同期信号に同期させて、第２LCDモジュール５２に出力する。これにより、ライン２の前半信号に基づく映像が第１LCDモジュール５１に表示され、一方、ライン２の後半信号に基づく映像が第２LCDモジュール５２に表示される。  
ライン４以降、同様の処理を繰り返し実行して、図２（ｂ）に示すような表示が為される。
【００２３】
以上のように、上記構成の表示制御装置では、連続する走査信号を交互に第１バッファ３１と第２バッファ３２にバッファする。そして出力制御部４０は、走査順序に従って、第１バッファ３１もしくは第２バッファ３２から読み出した走査信号を、時間的に真ん中の位置で分割し、水平同期信号の周波数が第１LCDモジュール５１および第２LCDモジュール５２における表示に合わせて調節された第２同期信号に同期させて、前半の走査信号を第１LCDモジュール５１に出力し、また後半の走査信号を第２同期信号に同期させて、第２LCDモジュール５２に出力ようにしている。
【００２４】
したがって、上記構成の表示制御装置によれば、１走査信号をバッファ可能な２つのバッファ３１，３２を備えるだけで、１フレームの画像を複数のディスプレイ５１，５２に分割して表示することができる。
【００２５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２６】
その一例として例えば、上記実施の形態では、図２に示すように、１フレームの映像を垂直に２分割して表示する場合、すなわち、第１LCDモジュール５１と第２LCDモジュール５２を水平に並べる場合を例に挙げて説明した。
【００２７】
これに代わって例えば、図５に示すように、１フレームの映像を水平に２分割して表示する、すなわち、第１LCDモジュール５１と第２LCDモジュール５２を垂直に並べる場合にも適用することができる。
【００２８】
この場合、入力制御部１０の前段に画像処理部を設け、これにより、入力画像信号に基づく画像を（図６（ａ））を、図６（ｂ）に示すように９０度回転させる処理を施す。具体的には、入力画像信号に基づく画像９０度回転させた画像を生成し、この画像を水平に走査した走査信号を生成し、これを入力画像信号として出力する。この画像処理部によって画像処理された入力画像信号を、入力制御部１０に与えることにより、実現可能である。
【００２９】
また上記実施の形態では、説明を簡明にするために、２つのディスプレイに分割表示する場合を例に挙げて説明したが、３以上のディスプレイに適用することも可能である。その場合、出力制御部４０がディスプレイ数Ｎに合わせて、バッファ３１，３２から読み出した走査信号をそれぞれＮ分割する。そして、クロック生成部２０が第１同期信号の水平同期信号の周波数を各ディスプレイでの表示に合わせて調整した第２同期信号を生成し、これに同期させて、出力制御部４０がＮ分割した走査信号を各ディスプレイに出力する。  
その他、この発明の要旨を逸脱しない範囲で種々の変形を施しても同様に実施可能であることはいうまでもない。
【符号の説明】
【００３０】
１０…入力制御部、２０…クロック生成部、３０…バッファ部、３１…第１バッファ、３２…第２バッファ、４０…出力制御部、５１…第１LCDモジュール、５２…第２LCDモジュール。
【図１】
2011069914.tif 000003
【図２】
2011069914.tif 000004
【図３】
2011069914.tif 000005
【図４】
2011069914.tif 000006
【図５】
2011069914.tif 000007
【図６】
2011069914.tif 000008